(57)【要約】      （修正有）【課題】外部からの基準クロックが供給されない装置においてもクロック周波数の補正が可能にする。【解決手段】第１のクロック１ａを生成する第１のクロック生成装置１０と、第２のクロック１ａ’を生成する第２のクロック生成装置１１を備える。第２のクロック生成装置１１は、第２のクロックの周波数１ａ’と、外部から入力された基準クロック１ｈの周波数とを比較する第１の周波数比較部１１２と、第２のクロックの周波数１ａ’と、第１のクロック１ａの周波数とを比較する第２の周波数比較部１１３と、第１の周波数比較部１１３の比較結果に基づいて、第２のクロック生成部１１が生成する第２のクロックの周波数１ａ’を制御する第２の制御部１１４を備える。第１のクロック生成装置１０は、第２のクロック生成装置１１から送信された第２の周波数比較部１１３の比較結果に基づいて、第１のクロックの周波数１ａを制御する。【選択図】図１
2015012529.tif 000002
【特許請求の範囲】
【請求項１】
第１のクロックを生成する第１のクロック生成装置と、
第２のクロックを生成する第２のクロック生成装置と、を備え、
前記第１のクロック生成装置は、
前記第１のクロックを生成する第１のクロック生成部と、
前記第１のクロック生成部が生成する前記第１のクロックの周波数を制御する第１の制御部と、
前記第１のクロックを前記第２のクロック生成装置に送信する送信部と、を有し、
前記第２のクロック生成装置は、
前記第２のクロックを生成する第２のクロック生成部と、
前記第２のクロックの周波数と、外部から入力された基準クロックの周波数とを比較する第１の周波数比較部と、
前記第２のクロックの周波数と、前記送信部から送信された前記第１のクロックの周波数とを比較する第２の周波数比較部と、
前記第１の周波数比較部の比較結果に基づいて、前記第２のクロック生成部が生成する前記第２のクロックの周波数を制御する第２の制御部と、を有し、
前記第２のクロック生成装置は、前記第２の周波数比較部の比較結果を前記第１のクロック生成装置に送信し、
前記第１の制御部は、前記第２のクロック生成装置から送信された前記第２の周波数比較部の比較結果に基づいて、前記第１のクロック生成部が生成する前記第１のクロックの周波数を制御する、
クロック生成システム。
【請求項２】
前記第２のクロックの周波数が、前記基準クロックに基づく目標周波数に収束した後に、前記第２の周波数比較部が前記第２のクロックの周波数と前記送信部から送信された前記第１のクロックの周波数とを比較する、
請求項１に記載のクロック生成システム。
【請求項３】
前記第１の制御部は、前記第１のクロックの周波数と前記第２のクロックの周波数とが同一となった場合に、前記第１のクロックの周波数を制御する処理を終了する、
請求項１又は２に記載のクロック生成システム。
【請求項４】
前記クロック生成システムは、前記第１のクロック生成装置を複数備える、
請求項１ないし３のいずれか一項に記載のクロック生成システム。
【請求項５】
前記第１のクロック生成装置及び前記第２のクロック生成装置は基地局であり、前記第１のクロック生成装置は前記第２のクロック生成装置の下位に設けられた基地局である、
請求項１ないし４のいずれか一項に記載のクロック生成システム。
【請求項６】
前記クロック生成システムは管理装置をさらに備え、
前記管理装置は、前記第１のクロック生成装置及び前記第２のクロック生成装置が無線通信可能であることを認識し、
前記第１のクロック生成装置は、前記管理装置に対して、当該第１のクロック生成装置と無線通信可能な前記第２のクロック生成装置が存在するか否かの問い合わせを実行し、
前記管理装置は、前記第１のクロック生成装置からの前記問い合わせに応じて、当該第１のクロック生成装置と前記第２のクロック生成装置とが無線通信可能であることを当該第１のクロック生成装置に対して通知し、
前記第１のクロック生成装置の前記送信部は、前記管理装置からの通知に応じて、前記第１のクロックを前記第２のクロック生成装置に無線送信する、
請求項１ないし５のいずれか一項に記載のクロック生成システム。
【請求項７】
前記第１のクロック生成装置は、所定の期間毎に、前記管理装置に対して、当該第１のクロック生成装置と無線通信可能な前記第２のクロック生成装置が存在するか否かの問い合わせを実行する、
請求項６に記載のクロック生成システム。
【請求項８】
クロックを生成するクロック生成装置であって、
第１のクロックを生成する第１のクロック生成部と、
前記第１のクロック生成部が生成する前記第１のクロックの周波数を制御する第１の制御部と、
前記第１のクロックを、第２のクロックを生成する他のクロック生成装置に送信する送信部と、を備え、
前記他のクロック生成装置は、
前記第２のクロックを生成する第２のクロック生成部と、
前記第２のクロックの周波数と、外部から入力された基準クロックの周波数とを比較する第１の周波数比較部と、
前記第２のクロックの周波数と、前記送信部から送信された前記第１のクロックの周波数とを比較する第２の周波数比較部と、
前記第１の周波数比較部の比較結果に基づいて、前記第２のクロック生成部が生成する前記第２のクロックの周波数を制御する第２の制御部と、を有し、
前記他のクロック生成装置は、前記第２の周波数比較部の比較結果を前記クロック生成装置に送信し、
前記第１の制御部は、前記他のクロック生成装置から送信された前記第２の周波数比較部の比較結果に基づいて、前記第１のクロック生成部が生成する前記第１のクロックの周波数を制御する、
クロック生成装置。
【請求項９】
クロックを生成するクロック生成装置であって、
第１のクロックを生成するクロック生成部と、
前記第１のクロックの周波数と、外部から入力された基準クロックの周波数とを比較する第１の周波数比較部と、
前記第１のクロックの周波数と、他のクロック生成装置から送信された第２のクロックの周波数とを比較する第２の周波数比較部と、
前記第１の周波数比較部の比較結果に基づいて、前記クロック生成部が生成する前記第１のクロックの周波数を制御する第２の制御部と、を備え、
前記クロック生成装置は、前記第２のクロックを生成する前記他のクロック生成装置に前記第２の周波数比較部の比較結果を送信し、
前記他のクロック生成装置は、前記クロック生成装置から送信された前記第２の周波数比較部の比較結果に基づいて、自身が生成する前記第２のクロックの周波数を制御する、
クロック生成装置。
【請求項１０】
第１のクロックを生成する第１のクロック生成装置と、
第２のクロックを生成する第２のクロック生成装置と、を備えるクロック生成システムのクロック生成方法であって、
前記第２のクロック生成装置が、前記第２のクロックの周波数と外部から入力された基準クロックの周波数とを比較した第１の比較結果を求めるステップと、
前記第２のクロック生成装置が、前記第１の比較結果に基づいて、前記第２のクロックの周波数を制御するステップと、
前記第２のクロック生成装置が、前記第１のクロックの周波数と前記第２のクロックの周波数とを比較した第２の比較結果を求めるステップと、
前記第２のクロック生成装置が、前記第２の比較結果を前記第１のクロック生成装置に送信するステップと、
前記第１のクロック生成装置が、前記第２のクロック生成装置から送信された前記第２の比較結果に基づいて、前記第１のクロックの周波数を制御するステップと、を備える
クロック生成方法。
【発明の詳細な説明】
【技術分野】
【０００１】
本発明はクロック生成システム、クロック生成装置及びクロック生成方法に関する。
【背景技術】
【０００２】
複数の装置が有線又は無線で接続されている通信システムにおいては、各装置間での処理を円滑に実行するために、装置間でクロックの同期を行う必要がある。具体的には、クロック周波数が基準よりずれている装置がある場合には、その装置のクロック周波数を補正する必要がある。
【０００３】
例えば、特許文献１には、複数の基地局を備えた無線通信システムにおいて、他の基地局からの同期クロックに応じて自局のクロックの位相を補正する技術が開示されている。また、特許文献２には、メッシュ通信ネットワークを形成する複数の通信デバイス間で同期を実行してクロックドリフトを補償する技術が開示されている。特許文献３には、移動体通信システムにおいて、基地局間で無線信号送信タイミングの設定を行い、基地局間での同期をとる技術が開示されている。
【先行技術文献】
【特許文献】
【０００４】
【特許文献１】特開２００８−１８７３４０号公報
【特許文献２】特開２０１３−０１７１７８号公報
【特許文献３】特開平１１−２４３５８０号公報
【発明の概要】
【発明が解決しようとする課題】
【０００５】
通信システムにおいて外部からの基準クロックが供給されない装置では、自身のクロックの精度を判定する基準が無かったため、自身のクロック生成部において出力周波数の補正を行うことができなかった。そのため、クロック生成部の経年劣化のために、装置の出力クロック周波数が規格外となる可能性があった。例えば、装置がクロック生成部として恒温槽付電圧制御水晶発振器（Oven-Controlled Voltage-Controlled Crystal Oscillator：以後ＯＣＶＣＸＯと記載）を運用している場合に、ＯＣＶＣＸＯが経年劣化した場合でも同一の基準値を用いてＯＣＶＣＸＯを運用し続けるために、ＯＣＶＣＸＯの出力クロック周波数が規格外となる可能性がある。
【０００６】
本発明は、このような問題点を解決するためになされたものであり、外部からの基準クロックが供給されない装置においてもクロック周波数の調整が可能なクロック生成システム、クロック生成装置及びクロック生成方法を提供することを目的とする。
【課題を解決するための手段】
【０００７】
本発明の第１の態様は、クロック生成システムを含む。このクロック生成システムは、第１のクロックを生成する第１のクロック生成装置と、第２のクロックを生成する第２のクロック生成装置と、を備える。前記第１のクロック生成装置は、前記第１のクロックを生成する第１のクロック生成部と、前記第１のクロック生成部が生成する前記第１のクロックの周波数を制御する第１の制御部と、前記第１のクロックを前記第２のクロック生成装置に送信する送信部と、を有する。前記第２のクロック生成装置は、前記第２のクロックを生成する第２のクロック生成部と、前記第２のクロックの周波数と、外部から入力された基準クロックの周波数とを比較する第１の周波数比較部と、前記第２のクロックの周波数と、前記送信部から送信された前記第１のクロックの周波数とを比較する第２の周波数比較部と、前記第１の周波数比較部の比較結果に基づいて、前記第２のクロック生成部が生成する前記第２のクロックの周波数を制御する第２の制御部と、を有する。前記第２のクロック生成装置は、前記第２の周波数比較部の比較結果を前記第１のクロック生成装置に送信する。前記第１の制御部は、前記第２のクロック生成装置から送信された前記第２の周波数比較部の比較結果に基づいて、前記第１のクロック生成部が生成する前記第１のクロックの周波数を制御する。
【０００８】
本発明の第２の態様は、クロックを生成するクロック生成装置を含む。このクロック生成装置は、第１のクロックを生成する第１のクロック生成部と、前記第１のクロック生成部が生成する前記第１のクロックの周波数を制御する第１の制御部と、前記第１のクロックを、第２のクロックを生成する他のクロック生成装置に送信する送信部と、を備える。前記他のクロック生成装置は、前記第２のクロックを生成する第２のクロック生成部と、前記第２のクロックの周波数と、外部から入力された基準クロックの周波数とを比較する第１の周波数比較部と、前記第２のクロックの周波数と、前記送信部から送信された前記第１のクロックの周波数とを比較する第２の周波数比較部と、前記第１の周波数比較部の比較結果に基づいて、前記第２のクロック生成部が生成する前記第２のクロックの周波数を制御する第２の制御部と、を有する。前記他のクロック生成装置は、前記第２の周波数比較部の比較結果を前記クロック生成装置に送信する。前記第１の制御部は、前記他のクロック生成装置から送信された前記第２の周波数比較部の比較結果に基づいて、前記第１のクロック生成部が生成する前記第１のクロックの周波数を制御する。
【０００９】
本発明の第３の態様は、クロックを生成するクロック生成装置を含む。このクロック生成装置は、第１のクロックを生成するクロック生成部と、前記第１のクロックの周波数と、外部から入力された基準クロックの周波数とを比較する第１の周波数比較部と、前記第１のクロックの周波数と、他のクロック生成装置から送信された第２のクロックの周波数とを比較する第２の周波数比較部と、前記第１の周波数比較部の比較結果に基づいて、前記クロック生成部が生成する前記第１のクロックの周波数を制御する第２の制御部と、を備える。前記クロック生成装置は、前記第２のクロックを生成する前記他のクロック生成装置に前記第２の周波数比較部の比較結果を送信する。前記他のクロック生成装置は、前記クロック生成装置から送信された前記第２の周波数比較部の比較結果に基づいて、自身が生成する前記第２のクロックの周波数を制御する。
【００１０】
本発明の第４の態様は、第１のクロックを生成する第１のクロック生成装置と、第２のクロックを生成する第２のクロック生成装置と、を備えるクロック生成システムのクロック生成方法を含む。このクロック生成方法は、以下のステップ（ａ）〜（ｅ）を備える。
（ａ）前記第２のクロック生成装置が、前記第２のクロックの周波数と外部から入力された基準クロックの周波数とを比較した第１の比較結果を求めること、
（ｂ）前記第２のクロック生成装置が、前記第１の比較結果に基づいて、前記第２のクロックの周波数を制御すること、
（ｃ）前記第２のクロック生成装置が、前記第１のクロックの周波数と前記第２のクロックの周波数とを比較した第２の比較結果を求めること、
（ｄ）前記第２のクロック生成装置が、前記第２の比較結果を前記第１のクロック生成装置に送信すること、及び
（ｅ）前記第１のクロック生成装置が、前記第２のクロック生成装置から送信された前記第２の比較結果に基づいて、前記第１のクロックの周波数を制御すること。
【発明の効果】
【００１１】
本発明により、外部からの基準クロックが供給されない装置においてもクロック周波数の調整が可能なクロック生成システム、クロック生成装置及びクロック生成方法を提供することができる。
【図面の簡単な説明】
【００１２】
【図１】実施の形態１にかかるクロック生成システムの構成例を示したブロック図である。
【図２】実施の形態１にかかるクロック生成システムの処理の一例を示したフローチャートである。
【図３】実施の形態２にかかるＷ−ＣＤＭＡシステムの構成例を示したブロック図である。
【図４Ａ】実施の形態２にかかるＷ−ＣＤＭＡシステムの処理の一例を示した第１のフローチャートである。
【図４Ｂ】実施の形態２にかかるＷ−ＣＤＭＡシステムの処理の一例を示した第２のフローチャートである。
【発明を実施するための形態】
【００１３】
実施の形態１
以下、図面を参照して本発明の実施の形態について説明する。
【００１４】
図１は、実施の形態１にかかるクロック生成システムの構成例を示したブロック図である。クロック生成システム１は、クロック生成装置１０及び１１を備える。クロック生成装置１０は第１のクロックを生成する第１のクロック生成装置であり、クロック生成装置１１は第２のクロックを生成する第２のクロック生成装置である。
【００１５】
クロック生成装置１０は、第１のクロック１ａを供給するクロック供給部１００、無線通信部１０３及びクロック受信部１０４を備える。
【００１６】
クロック供給部１００は、第１のクロック１ａを生成する電圧制御式水晶発振器（voltage-controlled crystal oscillator：以後ＶＣＸＯと記載）１０１（第１のクロック生成部）と、制御部１０２（第１の制御部）を備える。クロック供給部１００が起動すると、制御部１０２は、第１のクロック１ａの周波数を決定するボルテージコントロール電圧（以後ＶＣ電圧と記載）１ｂをＶＣＸＯ１０１に出力する。制御部１０２はＶＣ電圧１ｂを用いて、制御部１０２はＶＣＸＯ１０１が生成する第１のクロック１ａの周波数を制御する。ＶＣＸＯ１０１はＶＣ電圧１ｂに基づいて出力クロックの周波数を決定し、無線通信部１０３及びクロック受信部１０４に第１のクロック１ａを出力する。
【００１７】
なお、制御部１０２は、後述するクロック生成装置１１の制御部１１４とデータ通信線１ｇにより接続されている。このため、制御部１０２は、クロック生成装置１１側からデータを取得することが可能である。
【００１８】
無線通信部１０３（送信部）は、クロック供給部１００と接続されている。無線通信部１０３（送信部）は第１のクロック１ａを受信し、受信した第１のクロック１ａを無線クロック情報１ｃに変換する。無線通信部１０３は、無線クロック情報１ｃをクロック生成装置１１側の無線通信部１１５へ無線送信する。換言すれば、クロック生成装置１０は、無線通信によるクロック情報受け渡し手段を有する。
【００１９】
無線クロック情報１ｃは、無線通信部１１５において第１のクロック１ａを再生することが可能なデータであり、例えば第１のクロック１ａのＨｉｇｈ／Ｌｏｗの波形を示した情報である。
【００２０】
クロック受信部１０４は、クロック供給部１００と接続されている。クロック受信部１０４は、第１のクロック１ａを受信して、第１のクロック１ａを用いて処理を実行する各々の回路（不図示）に、第１のクロック１ａを供給する。
【００２１】
なお、クロック生成装置１０には、外部からの基準クロック１ｈは供給されない。そのため、クロック生成装置１０は、外部からの基準クロック１ｈを参照して、第１のクロック１ａの周波数を調整することができない。
【００２２】
次に、クロック生成装置１１について説明する。クロック生成装置１１は、第２のクロックを供給するクロック供給部１１０、無線通信部１１５及びクロック受信部１１６を備える。
【００２３】
ここでクロック生成装置１１には、外部からの基準クロック１ｈが供給される。基準クロック１ｈは、クロック生成装置１１が生成するクロックの周波数を決定するためのクロックであり、例えば他の装置からクロック生成装置１１に出力されるクロックである。
【００２４】
クロック供給部１１０は、第２のクロック１ａ’を生成するＶＣＸＯ１１１（第２のクロック生成部）と、クロック比較部１１２、１１３及び制御部１１４（第２の制御部）を備える。クロック生成装置１０と同様、クロック供給部１１０が起動すると、制御部１１４は、第２のクロック１ａ’の周波数を決定するＶＣ電圧１ｂ’をＶＣＸＯ１１１に出力する。制御部１１４はＶＣ電圧１ｂ’を用いることにより、ＶＣＸＯ１１１が生成する第２のクロック１ａ’の周波数を制御する。ＶＣＸＯ１１１はＶＣ電圧１ｂ’に基づいて出力クロックの周波数を決定し、クロック比較部１１２、１１３及びクロック供給部１１０の外部に接続されたクロック受信部１１６に第２のクロック１ａ’を出力する。
【００２５】
クロック比較部１１２は、ＶＣＸＯ１１１から出力された第２のクロック１ａ’と基準クロック１ｈの周波数を比較し、その比較結果（第１の比較結果）を周波数比較情報１ｄとして制御部１１４へ送信する。例えばクロック比較部１１２は、比較結果として第２のクロック１ａ’のクロック精度を判定し、その偏差情報を制御部１１４へ送信する。
【００２６】
制御部１１４は、周波数比較情報１ｄに基づいてＶＣ電圧１ｂ’を補正する。このＶＣ電圧１ｂ’の補正に基づいて、ＶＣＸＯ１１１は、自身が生成する第２のクロック１ａ’の周波数を基準クロック１ｈと同一の周波数にする。このようにして、制御部１１４は、第２のクロック１ａ’の周波数を、基準クロック１ｈに基づく目標周波数に制御（調整）することができる。
【００２７】
なお、第２のクロック１ａ’の周波数が基準クロック１ｈの周波数と同一とは、両者の周波数が完全に同一か、又は装置の運用上同一と見なせる程度の相違しかないことをいう。以後においても、「周波数が同一」は同様のことをいう。
【００２８】
クロック比較部１１２は、制御部１１４によるＶＣＸＯ１１１の周波数制御が完了した後も比較処理を続けてもよい。あるいは、クロック比較部１１２は、制御部１１４による周波数制御が完了した後は所定の期間をおいて、間欠的に比較処理を実行してもよい。なお、「所定の期間」は、ＶＣＸＯ１１１の生成する第２のクロック１ａ’の周波数が劣化すると考えられる期間である。
【００２９】
無線通信部１１５は、無線通信部１０３から無線クロック情報１ｃを受信して、それを再生クロック１ｅに変換し、クロック比較部１１３に出力する。
【００３０】
クロック比較部１１３は、ＶＣＸＯ１１１から出力された第２のクロック１ａ’の周波数と、無線通信部１１５から供給される再生クロック１ｅ（第１のクロック１ａを再生したクロックであり、第１のクロック１ａと同じクロック）の周波数とを比較する。クロック比較部１１３は、その比較結果（第２の比較結果）を周波数比較情報１ｆとして制御部１１４へ送信する。制御部１１４は、データ通信線１ｇを介して、クロック生成装置１０側の制御部１０２に周波数比較情報１ｆの情報を転送する。このようにして、クロック生成装置１１は、クロック比較部１１３の比較結果をクロック生成装置１０に送信する。例えばクロック比較部１１３は、比較結果として第１のクロック１ａのクロック精度を判定し、その偏差情報を制御部１０２へ送信する。
【００３１】
制御部１０２は、受信した周波数比較情報１ｆに基づいてＶＣ電圧１ｂを補正して、ＶＣＸＯ１０１が生成する第１のクロック１ａの周波数を、第２のクロック１ａ’と同じ周波数になるよう制御する。従って、制御部１０２は、第１のクロック１ａの周波数を第２のクロック１ａ’に基づく目標周波数に調整することができる。
【００３２】
クロック比較部１１３は、クロック比較部１１２と同様、制御部１０２によるＶＣＸＯ１０１の周波数制御が完了した後も比較処理を続けてもよい。あるいは、制御部１０２による周波数制御が完了した後は所定の期間をおいて、間欠的に比較処理を実行してもよい。
【００３３】
クロック受信部１１６は、クロック供給部１１０と接続されている。クロック受信部１１６は、第２のクロック１ａ’を受信して、第２のクロック１ａ’を用いて処理を実行する各々の回路（不図示）に、第２のクロック１ａ’を供給する。
【００３４】
上述したクロック比較部１１２及び制御部１１４の処理に基づいて、クロック生成装置１１側の第２のクロック１ａ’は、基準クロック１ｈと同じ周波数になる。そして、クロック比較部１１３及び制御部１０２の処理に基づいて、第１のクロック１ａの周波数が第２のクロック１ａ’と同じ周波数になる。従って、第１のクロック１ａが基準クロック１ｈと同じ周波数を有するように調整される。このため、クロック供給部１００は、周波数安定度の良い外部からの基準クロック１ｈと同じ周波数で、第１のクロック１ａを供給することが出来る。
【００３５】
なお、様々な処理を行う機能ブロックとして図１に記載されたクロック生成装置１０及び１１の各要素は、ハードウェア的には、メモリやその他のＩＣ（Integrated Circuit）等の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００３６】
図２は、クロック生成システム１の処理の一例を示したフローチャートである。以下、クロック生成システム１がクロックの生成を制御するための処理の一例について説明する。なお、以下に説明する処理の詳細については上述の通りであるため、適宜省略する。
【００３７】
まずクロック生成装置１１において、クロック比較部１１２は、第２のクロック１ａ’の周波数と、外部から入力された基準クロック１ｈの周波数とを比較した第１の比較結果を求める（ステップＳ１１）。クロック比較部１１２は、第１の比較結果を周波数比較情報１ｄとして制御部１１４に出力する。
【００３８】
制御部１１４は、出力された第１の比較結果に基づいて、第２のクロック１ａ’の周波数を制御する（ステップＳ１２）。
【００３９】
クロック比較部１１３は、制御部１１４の第２のクロック１ａ’の周波数制御処理が完了した後、再生クロック１ｅの周波数（つまり、第１のクロック１ａの周波数）と第２のクロック１ａ’の周波数とを比較した第２の比較結果を求める（ステップＳ１３）。
【００４０】
クロック比較部１１３は、第２の比較結果を周波数比較情報１ｆとして、制御部１１４を介してクロック生成装置１０の制御部１０２に送信する（ステップＳ１４）。
【００４１】
制御部１０２は、クロック生成装置１１から送信された第２の比較結果に基づいて、第１のクロック１ａの周波数を制御する（ステップＳ１５）。
【００４２】
以上のようにして、クロック生成システム１は、外部からの基準クロックが供給されない装置においてもクロック周波数の調整を可能とすることができる。
【００４３】
クロック生成装置１０（クロック供給部１００）は、外部から基準クロックが供給されないため、内部に有するＶＣＸＯ１０１は経年劣化のため徐々に周波数安定度が劣化してしまう。そのため、ＶＣＸＯ１０１の第１のクロック１ａの周波数補正が行われないと、時間経過に伴いＶＣＸＯ１０１は規格外の周波数で第１のクロック１ａを出力する可能性があった。
【００４４】
本発明にかかるクロック生成システム１では、クロック生成装置１０で生成された第１のクロック１ａとクロック生成装置１１で生成された第２のクロック１ａ’の周波数とを、クロック生成装置１１において比較する。クロック生成装置１０は、その比較結果に基づいて第１のクロック１ａの周波数を制御する。ここで、クロック生成装置１１が生成する第２のクロック１ａ’は、外部からの基準クロック１ｈとの周波数比較処理がなされ、周波数が調整されているクロックである。そのため、第１のクロック１ａは適切な周波数に調整される。このようにして、外部より基準クロックが供給されないクロック生成装置１０においても、クロックの調整がなされ、規格外の周波数でクロック出力することを防ぐことができる。
【００４５】
図２において、ステップＳ１３の処理は、ステップＳ１２における制御部１１４の第２のクロック１ａ’の周波数制御処理が完了した後に（第２のクロック１ａ’ の周波数が基準クロック１ｈの周波数に収束した後に）実行される。以上の処理により、第２のクロック１ａ’が調整に基づいて目標周波数を有するようになった場合に、その周波数に追従して第１のクロック１ａが調整されることで、第１のクロック１ａの調整を精度よく実現できる。
【００４６】
実施の形態１において、第１のクロック１ａの目標周波数（制御部１１４の調整が完了した後の周波数）と、第２のクロック１ａ’の目標周波数（制御部１０２の調整が完了した後の周波数）とは同一である。この構成では、クロック比較部１１３は、第１のクロック１ａと第２のクロック１ａ’とが同一の周波数を有するか否かを比較すればよい。制御部１０２は、第１のクロック１ａの周波数と第２のクロック１ａ’の周波数とが同一となった場合に、前記第１のクロックの周波数を制御する処理を終了する。そのため、クロック比較部１１３は、第１のクロック１ａの目標周波数と、第２のクロック１ａ’の目標周波数とが異なる場合と比較して、実行する比較処理が単純になる（周波数が同一か否かだけを比較すればよい）ので、クロック比較部１１３の構成を簡易にすることができる。
【００４７】
なお、実施の形態１において、制御部１１４は必ずしも、第２のクロック１ａ’の目標周波数と基準クロック１ｈの周波数とを同一にする必要はない。第２のクロック１ａ’の目標周波数は、基準クロック１ｈの周波数と異なる周波数であってもよい。例えば、基準クロック１ｈの周波数が１０ｋＨｚであり、ＶＣＸＯ１１１が出力する第２のクロック１ａ’の目標周波数が１０ＭＨｚであってもよい。このとき、クロック比較部１１２は、基準クロック１ｈの１周期の間に、第２のクロック１ａ’が１０００回振動することを検出する。このように、第２のクロック１ａ’の目標周波数は、基準クロック１ｈの周波数の整数倍であってもよい。また、逆に、基準クロック１ｈの周波数は、第２のクロック１ａ’の目標周波数の整数倍であってもよい。
【００４８】
ここで、ＶＣＸＯ１１１の特性劣化が発生し、第２のクロック１ａ’の周波数が１０ＭＨｚから９ＭＨｚになったとする。このとき、クロック比較部１１２は、基準クロック１ｈの１周期の間に、第２のクロック１ａ’が９００回しか振動しないことを検出する。そのため、クロック比較部１１２は、第２のクロック１ａ’の周波数が９ＭＨｚしかないことを示す周波数比較情報１ｄを制御部１１４に出力する。制御部１１４は、周波数比較情報１ｄに基づいて、ＶＣＸＯ１１１が１０ＭＨｚで第２のクロック１ａ’を出力するように、ＶＣ電圧１ｂ’を補正して出力する。これに応じて、ＶＣＸＯ１１１は、出力する第２のクロック１ａ’の周波数を１０ＭＨｚに調整する。
【００４９】
また、制御部１１４は必ずしも、第１のクロック１ａの目標周波数と第２のクロック１ａ’の目標周波数とを同一にする必要はない。第１のクロック１ａの目標周波数は、第２のクロック１ａ’の目標周波数と異なる周波数であってもよい。例えば、ＶＣＸＯ１０１が出力する第１のクロック１ａの目標周波数が１０ＭＨｚであり、第２のクロック１ａ’の目標周波数が１ＭＨｚであってもよい。このとき、クロック比較部１１３は、第２のクロック１ａ’の１周期の間に、第１のクロック１ａが１０回振動することを検出する。このように、第１のクロック１ａの目標周波数は、第２のクロック１ａ’の目標周波数の整数倍であってもよい。また、逆に、第２のクロック１ａ’の目標周波数は、第１のクロック１ａの目標周波数の整数倍であってもよい。
【００５０】
ここで、ＶＣＸＯ１０１の特性劣化が発生し、第１のクロック１ａの周波数が１０ＭＨｚから９ＭＨｚになったとする。このとき、クロック比較部１１３は、第２のクロック１ａ’の１周期の間に、第１のクロック１ａが９回しか振動しないことを検出する。そのため、クロック比較部１１３は、第１のクロック１ａの周波数が９ＭＨｚしかないことを示す周波数比較情報１ｆを、制御部１１４を介して制御部１０２に出力する。制御部１０２は、周波数比較情報１ｆに基づいて、ＶＣＸＯ１０１が１０ＭＨｚで第１のクロック１ａを出力するように、ＶＣ電圧１ｂを補正して出力する。これに応じて、ＶＣＸＯ１０１は、出力する第１のクロック１ａの周波数を１０ＭＨｚに調整する。
【００５１】
上述の通り、クロック比較部１１２が周波数比較情報１ｄを制御部１１４に出力し、制御部１１４が周波数比較情報１ｄに応じてＶＣ電圧１ｂ’を補正して出力するため、第２のクロック１ａ’の周波数が調整される。調整された第２のクロック１ａ’はクロック比較部１１２に出力され、クロック比較部１１２はその第２のクロック１ａ’の周波数と基準クロック１ｈの周波数とを再度比較し、その比較結果を周波数比較情報１ｄとして出力する。ここで、第２のクロック１ａ’の周波数が基準クロック１ｈの周波数と同一でない場合には、その旨を示す周波数比較情報１ｄに基づいて、制御部１１４は、再度ＶＣ電圧１ｂ’を補正して出力することができる。このように、制御部１１４の一回の調整では第２のクロック１ａ’の周波数が基準クロック１ｈの周波数と同じにならない場合には、ＶＣＸＯ１１１、クロック比較部１１２及び制御部１１４は第２のクロック１ａ’の周波数が基準クロック１ｈの周波数に収束するまで、処理をループして実行する。第２のクロック１ａ’の目標周波数が基準クロック１ｈと同一の周波数ではなく、基準クロック１ｈと異なる周波数であっても同様の制御が可能である。第１のクロック１ａについても、制御部１０２、ＶＣＸＯ１０１及びクロック比較部１１３は同様に処理をループして実行することができる。
【００５２】
なお、図１に示したクロック生成装置１０の構成において、クロック受信部１０４は必須ではない。また、クロック生成装置１０は無線通信部１０３ではなく、第１のクロック１ａを再生することが可能な無線クロック情報１ｃを、自身の送信部（不図示）から有線でクロック生成装置１１に送信してもよい。その場合、クロック生成装置１１は、無線通信部１１５ではない受信部（不図示）で無線クロック情報１ｃを受信する。
【００５３】
同様に、クロック生成装置１１の構成において、クロック受信部１１６は必須ではない。また、制御部１１４と制御部１０２とは有線のデータ通信線１ｇにより接続されているとしたが、無線通信を用いて接続されていてもよい。また、クロック生成装置１０、１１において、クロックを生成するのはＶＣＸＯに限られず、例えば他の種類の水晶振動子を用いて実現することもできる。
【００５４】
図１では、制御部１０２は、ＶＣＸＯ１０１が出力する第１のクロック１ａの周波数を制御するためにＶＣ電圧１ｂをＶＣＸＯ１０１に出力している。しかしながら、制御部１０２は、ＶＣ電圧ではない他の種類の信号をＶＣＸＯ１０１に出力し、その信号に基づいて第１のクロック１ａの周波数が制御されてもよい。これは制御部１１４においても同様である。
【００５５】
実施の形態２
以下、図面を参照して本発明の実施の形態１について説明する。実施の形態２では、実施の形態１に示したクロック生成システムの具体例として、携帯電話のＷ−ＣＤＭＡ（Wideband-Code Division Multiple Access）システムにおける無線基地局装置の構成を説明する。
【００５６】
図３は、実施の形態２にかかるＷ−ＣＤＭＡシステムの構成例を示したブロック図である。Ｗ−ＣＤＭＡシステム２は、基地局２０、２１及び上位基地局制御装置２２を備える。基地局２０は第１のクロック２ａを生成し、その第１のクロック２ａに基づいて動作する基地局であり、基地局２１は第２のクロック２ａ’を生成し、その第２のクロック２ａ’ に基づいて動作する基地局である。基地局２０及び２１は、いずれもＯＣＶＣＸＯを用いて、自身のクロックを生成する。
【００５７】
なお、Ｗ−ＣＤＭＡシステムの無線基地局装置で使用するクロックには高い安定度が要求されるため、無線基地局内のクロック生成部としては、ＶＣＸＯより高い安定度を有するＯＣＶＣＸＯを使用するのが望ましい。従って、実施の形態２では、基地局２０、２１内のクロック生成部として、ＯＣＶＣＸＯを使用している。
【００５８】
基地局２０は、基地局２１の下位に設けられた基地局である。ここで基地局２０は外部からの基準クロック２ｉが供給されない基地局であり、基地局２１は外部からの基準クロック２ｉが供給される基地局である。
【００５９】
上位基地局制御装置２２（管理装置）は、基地局２０と伝送路２ｋにより接続されるとともに、基地局２１と伝送路２ｊにより接続されている。上位基地局制御装置２２は、互いに無線通信可能な無線基地局の情報を内部メモリに記憶する。換言すれば、上位基地局制御装置２２は、時間経過に応じた基地局の設置状況を管理する。実施の形態２では、上位基地局制御装置２２は、基地局２０及び２１が無線通信可能であることを認識している。また上位基地局制御装置２２は、基地局２１に対して基準クロック２ｉを出力するとともに、基地局２０から出力されたデータを基地局２１に転送し、基地局２１から出力されたデータを基地局２０に転送する。これらの処理の詳細については後述する。
【００６０】
基地局２０は、ＯＣＶＣＸＯ２０１、制御部２０２、変復調部２０３及び無線通信部２０４を有する。ＯＣＶＣＸＯ２０１は、制御部２０２の制御に応じて第１のクロック２ａを生成し、変復調部２０３に出力する。制御部２０２は、第１のクロック２ａの周波数を決定するＶＣ電圧２ｂをＯＣＶＣＸＯ２０１に出力する。制御部２０２は、ＶＣ電圧２ｂを用いることにより、ＯＣＶＣＸＯ２０１が生成する第１のクロック２ａの周波数を制御する。
【００６１】
基地局２０の装置起動後に、制御部２０２は、予め設定される基準値に基づいて定められるＶＣ電圧２ｂを、ＯＣＶＣＸＯ２０１に出力する。ＯＣＶＣＸＯ２０１はＶＣ電圧２ｂに基づいて第１のクロック２ａの周波数を決定し、変復調部２０３へ第１のクロック２ａを出力する。
【００６２】
なお、制御部２０２は、後述する基地局２１の制御部２１４と接続されている。このため、制御部２０２は、基地局２１側からデータを取得することが可能である。
【００６３】
変復調部２０３は、第１のクロック２ａを受信し、第１のクロック２ａを無線送信用のデータに変調する。この変調の結果として、変復調部２０３は変調クロック信号２ｃを生成し、無線通信部２０４へ転送する。
【００６４】
無線通信部２０４は、受信した変調クロック信号２ｃを、無線送信可能な無線クロック信号２ｅに変換した上で、基地局２１側の無線受信部２１５に送信する。無線クロック信号２ｅは、無線受信部２１５及び変復調部２１６において第１のクロック２ａを再生することが可能なデータであり、例えば第１のクロック２ａのＨｉｇｈ／Ｌｏｗの波形を示した情報である。
【００６５】
なお、基地局２０には、外部からの基準クロック２ｉは供給されない。そのため、基地局２０は、外部からの基準クロック２ｉを参照して、第１のクロック２ａの周波数を調整することができない。
【００６６】
次に、基地局２１について説明する。基地局２１は、ＯＣＶＣＸＯ２１１、クロック比較部２１２、２１３、制御部２１４、無線受信部２１５、変復調部２１６及び無線通信部２１７を備える。
【００６７】
ここで基地局２１には、上位基地局制御装置２２からの基準クロック２ｉが供給される。基準クロック２ｉは、基地局２１が生成するクロックの周波数を決定するためのクロックである。
【００６８】
ＯＣＶＣＸＯ２１１は、第２のクロック２ａ’を生成する回路であり、制御部２１４は、ＯＣＶＣＸＯ２１１が生成する第２のクロック２ａ’の周波数を制御する。
【００６９】
基地局２０と同様、基地局２１の装置起動後に、制御部２１４は、予め設定される基準値に基づいて定められるＶＣ電圧２ｂ’を、ＯＣＶＣＸＯ２１１に転送する。ＯＣＶＣＸＯ２１１はＶＣ電圧２ｂ’に基づいて第２のクロック２ａ’の周波数を決定し、変復調部２１６へ第２のクロック２ａ’を出力する。さらに、ＯＣＶＣＸＯ２１１は、クロック比較部２１２及び２１３にも第２のクロック２ａ’を出力する。
【００７０】
クロック比較部２１２は、ＯＣＶＣＸＯ２１１から出力された第２のクロック２ａ’と基準クロック２ｉの周波数を比較し、その比較結果（第１の比較結果）を周波数比較情報２ｄとして制御部２１４へ送信する。例えばクロック比較部２１２は、比較結果として第２のクロック２ａ’のクロック精度を判定し、その偏差情報を制御部２１４へ送信する。
【００７１】
制御部２１４は、周波数比較情報２ｄに基づいて、ＶＣ電圧２ｂ’を決定する基準値を補正する。換言すれば、制御部２１４は、出力するＶＣ電圧２ｂ’を補正する。制御部２１４はこのようにして、ＯＣＶＣＸＯ２１１が生成する第２のクロック２ａ’の周波数を基準クロック２ｉと同一の周波数になるよう制御する。以上のようにして、制御部２１４は、第２のクロック２ａ’の周波数を目標周波数に調整することができる。
【００７２】
実施の形態１にかかるクロック比較部と同様、クロック比較部２１２は、制御部２１４によるＯＣＶＣＸＯ２１１の周波数制御が完了した後も比較処理を続けてもよい。あるいは、クロック比較部２１２は、制御部２１４による周波数制御が完了した後に、所定の期間をおいて、間欠的に比較処理を実行してもよい。なお、所定の期間は、ＯＣＶＣＸＯ２１１の生成する第２のクロック２ａ’の周波数が極端に劣化することがないと考えられる程度の期間であるのが望ましい。
【００７３】
クロック比較部２１３は、ＯＣＶＣＸＯ２１１から出力された第２のクロック２ａ’の周波数と、変復調部２１６から供給される再生クロック２ｇ（第１のクロック２ａを再生したクロックであり、第１のクロック２ａと同じクロック）の周波数とを比較する。クロック比較部２１３は、その比較結果（第２の比較結果）を周波数比較情報２ｈとして制御部２１４へ出力する。制御部２１４は、伝送路２ｊ、上位基地局制御装置２２及び伝送路２ｋを経由して（以後、単に「上位基地局制御装置２２を経由」と記載）、基地局２０側の制御部２０２に周波数比較情報２ｈを転送する。このようにして、基地局２１は、クロック比較部２１３の比較結果を基地局２０に送信する。例えばクロック比較部２１３は、比較結果として第１のクロック２ａのクロック精度を判定し、その偏差情報を制御部２０２へ送信する。
【００７４】
制御部２０２は転送された周波数比較情報２ｈを受信して、受信した周波数比較情報２ｈに基づき、ＶＣ電圧２ｂを決定する基準値を補正する。つまり、制御部２０２はＶＣ電圧２ｂを補正する。以上の処理を実行して、制御部２０２はＯＣＶＣＸＯ２０１が生成する第１のクロック２ａの周波数を、第２のクロック２ａ’と同じ周波数になるよう制御する。以上から、制御部２０２は、第１のクロック２ａの周波数を目標周波数に調整することができる。
【００７５】
クロック比較部２１３は、制御部２０２によるＯＣＶＣＸＯ２０１の周波数制御が完了した後も比較処理を続けてもよい。あるいは、制御部２０２による周波数制御が完了した後は、所定の期間をおいて、間欠的に比較処理を実行してもよい。
【００７６】
上述したクロック比較部２１２及び制御部２１４の処理に基づいて、基地局２１側の第２のクロック２ａ’は、基準クロック２ｉと同じ周波数となっている。そして、クロック比較部２１３及び制御部２０２の処理の結果に基づいて、第１のクロック２ａの周波数が第２のクロック２ａ’と同じ周波数になる。従って、第１のクロック２ａが基準クロック２ｉと同じ周波数を有するように調整される。このため、基地局２０は、周波数安定度の良い外部からの基準クロック２ｉと同じ周波数で、第１のクロック２ａを生成することが出来る。
【００７７】
無線受信部２１５は、無線通信部２０４から無線クロック信号２ｅを受信し、それを変調クロック信号２ｆ（変調クロック信号２ｃと同じ信号）に変換して変復調部２１６に出力する。
【００７８】
変復調部２１６は、基地局２１の他の機能ブロックから出力された端末用データ２ｌを、ＯＣＶＣＸＯ２１１からの第２のクロック２ａ’に基づいて端末用変調信号２ｃ’に変調する。ここで端末用データ２ｌは、基地局２１とその配下にある携帯端末との間で通信されるデータを示す。変復調部２１６は、変調した端末用変調信号２ｃ’を無線通信部２１７に出力する。また、変復調部２１６は、無線通信部２１７から出力された端末用変調信号２ｃ’を端末用データ２ｌに復調して、基地局２１の他の機能ブロックへ端末用データ２ｌを送信する。このように、変復調部２１６は、基地局２１本来の機能（携帯端末とデータを通信する機能）のために、端末用データ２ｌの変復調を実行する。
【００７９】
さらに変復調部２１６は、無線受信部２１５から出力された変調クロック信号２ｆを復調して、再生クロック２ｇを生成してクロック比較部２１３へ転送する。
【００８０】
無線通信部２１７は、変復調部２１６から出力された端末用変調信号２ｃ’を、基地局２１の配下にある携帯端末に対して無線送信する。または、無線通信部２１７は、基地局２１の配下にある携帯端末から受信した端末用変調信号２ｃ’を、変復調部２１６に対して出力する。
【００８１】
なお無線通信部２０４及び２１７は、本来、携帯端末との無線通信用の設備である。そのため、無線通信部２０４及び２１７では、送信周波数と受信周波数の設定が異なっている（送信周波数帯と受信周波数帯とが異なる）。このため、無線通信部２０４から無線通信部２１７へ無線クロック信号２ｅを直接送信しても、無線通信部２１７はその信号を受信することはできない。従って、無線クロック信号２ｅを受信するために、無線通信部２０４からの信号を受信する携帯端末と同じ受信周波数設定を有する無線受信部２１５を、新たに基地局２１に増設している。
【００８２】
なお、基地局２０、２１はそれぞれ実施の形態１におけるクロック生成装置１０、１１に対応する。基地局２０におけるＯＣＶＣＸＯ２０１、制御部２０２は、それぞれ実施の形態１におけるＶＣＸＯ１０１、制御部１０２に対応し、変復調部２０３及び無線通信部２０４は無線通信部１０３に対応する。基地局２１におけるＯＣＶＣＸＯ２１１、クロック比較部２１２、２１３、制御部２１４は、それぞれ実施の形態１におけるＶＣＸＯ１１１、クロック比較部１１２、１１３、制御部１１４に対応し、無線受信部２１５及び変復調部２１６は無線通信部１１５に対応する。
【００８３】
なお、様々な処理を行う機能ブロックとして図３に記載された基地局２０及び２１の各要素は、ハードウェア的には、メモリやその他のＩＣ（Integrated Circuit）等の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００８４】
基地局２０及び２１は、上述の機能の他、本来、上位基地局制御装置２２及び携帯端末とのデータ通信を行う機能も有する。その為、基地局２０及び２１は、図３で記載した機能ブロック以外の他の機能ブロックも有する。しかしながら、それらの他の機能ブロックは本実施の形態における動作には無関係であるため、図３の記載では省略した。
【００８５】
図４Ａ及び図４Ｂは、Ｗ−ＣＤＭＡシステム２の処理の一例を示したフローチャートである。以下、図４Ａ及び図４Ｂを参照して、Ｗ−ＣＤＭＡシステム２の処理について説明する。
【００８６】
基地局は、内部回路を起動後、制御回路部に記憶されている基準値を使用して、制御回路部が出力するＶＣ電圧を決定する。このＶＣ電圧に基づいて、基地局内のＯＣＶＣＸＯ回路部がクロック出力を開始する（ステップＳ２１）。
【００８７】
次に基地局は、自身が外部より基準クロック２ｉを供給される基地局か否かを判定する（ステップＳ２２）。以後、外部から基準クロック２ｉが供給されないタイプの基地局を基地局Ａ、外部から基準クロック２ｉが供給されるタイプの基地局を基地局Ｂと記載する。ここで、基地局Ａは基地局Ｂの下位に設けられる無線基地局であり、基地局Ａの構成は図３の基地局２０、基地局Ｂの構成は図３の基地局２１の通りである。以降の基地局の処理は、ステップＳ２２の判定の結果に応じて分岐する。
【００８８】
なお、ステップＳ２２の判定は、例えば基地局の内部メモリに格納された自身のプロパティ情報に基づいて基地局が実行してもよい。あるいは、基準クロック２ｉが入力されるか否かを基地局が直接検出して、実行してもよい。
【００８９】
判定の結果、自身が外部から基準クロック２ｉが供給される基地局Ｂであると判定した場合（ステップＳ２２のＹｅｓ）、この基地局Ｂの制御部２１４は、クロック比較部２１２を動作させる。クロック比較部２１２（基地局Ｂ）は、外部からの基準クロック２ｉと、ＯＣＶＣＸＯ２１１から出力した第２のクロック２ａ’との周波数比較情報２ｄを取得する（ステップＳ２３）。
【００９０】
制御部２１４は、周波数比較情報２ｄに基づいて、制御部２１４がＶＣ電圧２ｂ’を決定するのに用いる基準値の補正を行う（ステップＳ２４）。ＯＣＶＣＸＯ２１１に出力されるＶＣ電圧２ｂ’が補正されるため、ＯＣＶＣＸＯ２１１が出力する第２のクロック２ａ’の周波数は変更される。この処理のため、第２のクロック２ａ’は、基準クロック２ｉと同じ周波数を有するように調整される。
【００９１】
なお、ステップＳ２４における一回の基準値補正で第２のクロック２ａ’の周波数が基準クロック２ｉの周波数と同じにならなかった場合には、基地局Ｂは、ステップＳ２３及びＳ２４の処理をループして実行する。処理がループして実行されるため、第２のクロック２ａ’の周波数を基準クロック２ｉの周波数と同じにする。
【００９２】
第２のクロック２ａ’の周波数が基準クロック２ｉの周波数と同じになった場合には、基地局は、周波数制御処理を一旦終了する。具体的には、基地局は、クロック比較部２１２の比較処理を停止する。また、制御部２１４がＶＣ電圧２ｂ’を決定するのに用いる基準値は、最後に補正された値のままに保たれる。
【００９３】
制御部２１４は、周波数制御処理の終了後、所定の期間をおいて（例えば数時間〜数日程度）、ステップＳ２４における基準値の補正を最後に実行したときから１ヶ月が経過したか否かを判定する（ステップＳ２５）。制御部２１４は、例えば基準値の補正を最後に実行したときの基地局の内部時計の時刻と、現在の内部時計の時刻とを比較して、ステップＳ２５の判定を実行する。
【００９４】
ステップＳ２４における基準値の補正を最後に実行したときから１ヶ月が経過していない場合には（ステップＳ２５のＮｏ）、制御部２１４は、所定の期間をおいて再度ステップＳ２５の判定を実行する。
【００９５】
ステップＳ２４における基準値の補正を最後に実行したときから１ヶ月が経過している場合には（ステップＳ２５のＹｅｓ）、基地局Ｂは、クロック比較部２１２を再度起動させる。クロック比較部２１２は、外部からの基準クロック２ｉと、ＯＣＶＣＸＯ２１１から出力した第２のクロック２ａ’の周波数比較情報２ｄを生成する（ステップＳ２３）。制御部２１４は、周波数比較情報２ｄに基づいて、制御部２１４がＶＣ電圧２ｂ’を決定するのに用いる基準値の補正を行う（ステップＳ２４）。
【００９６】
以上のようにして、制御部２１４は、ステップＳ２４における基準値の補正を最後に実行したときから１ヶ月が経過した場合に、再度周波数制御処理を実行する。そして、制御部２１４は、第２のクロック２ａ’の周波数を基準クロック２ｉの周波数と同じにする制御を再度実行する。ＯＣＶＣＸＯ２１１は経年劣化するため、制御部２１４が同じ基準値でＯＣＶＣＸＯ２１１を運用しても、その周波数は時間経過により変動する。従って、最後に周波数制御を実行した後も、第２のクロック２ａ’の周波数を基準クロック２ｉと同じ状態に保つため、制御部２１４は定期的にＶＣ電圧２ｂ’を決定する基準値を補正する必要がある。基地局Ｂは、ステップＳ２３、Ｓ２４のシーケンスを繰り返すことにより、制御部２１４の基準値を補正している。
【００９７】
なお、制御部２１４が周波数制御処理を終了してから再度周波数制御処理を開始するまでの期間は、図４Ａでは１ヶ月としたが、期間はこの例に限らない。第２のクロック２ａ’の周波数と基準クロック２ｉの周波数との間にずれが出る期間（即ちＯＣＶＣＸＯ２１１の経年劣化が生ずる期間）であれば、２ヶ月など、他の期間でもよい。
【００９８】
また、基地局Ｂが周波数制御処理を終了してから再度周波数制御処理を開始するまでの期間は、一定期間であってもよいし、異なる期間であってもよい。例えば、ＯＣＶＣＸＯ２１１の使用開始から時間ｔ１が経過する前は３ヶ月、時間ｔ１経過後は２ヶ月、時間ｔ２（＞ｔ１）経過後は１ヶ月、・・・といったように、時間が経過してＯＣＶＣＸＯの劣化具合が進行すると考えられる状況では、周波数制御処理を開始するまでの期間を次第に短く設定することができる。
【００９９】
ステップＳ２２の分岐に戻り、基地局の処理の説明を続ける。ステップＳ２２の判定の結果、自身が外部から基準クロック２ｉが供給されない基地局Ａであると判定した場合（ステップＳ２２のＮｏ）、この基地局Ａは、図３に示した基地局２０の構成を有する。基地局は、伝送路２ｋ経由で基地局を統括する上位基地局制御装置２２に問い合わせを行い、自身の周囲に無線通信可能な基地局Ｂが存在するか否かを確認する（ステップＳ２６）。なお、「周囲」とは、基地局間での無線通信が可能な距離の範囲のことをいう。
【０１００】
上位基地局制御装置２２は、基地局Ａからの問い合わせに応じて内部のメモリを参照し、基地局Ａの周辺に無線通信可能な基地局Ｂが存在するか否かを確認する。
【０１０１】
無線通信可能な基地局Ｂが基地局Ａの周囲に存在する場合（ステップＳ２６のＹｅｓ）、上位基地局制御装置２２はその旨を、伝送路２ｋ経由で基地局Ａに送信する。基地局Ａは、上位基地局制御装置２２から受信したデータに基づいて、上位基地局制御装置２２を経由し、無線通信可能な基地局Ｂに対し、周波数比較の準備をするよう要求する（ステップＳ２７）。
【０１０２】
基地局Ｂの制御部２１４は上位基地局制御装置２２から周波数比較準備の要求を受信する。基地局Ｂはその要求に応じて周波数比較の準備を開始し、準備終了後に、上位基地局制御装置２２を経由して、基地局Ａに周波数比較準備が終了したことを連絡する（ステップＳ２８）。
【０１０３】
なお、「周波数比較の準備が終了」とは、少なくとも基地局Ｂ内のＯＣＶＣＸＯ２１１、クロック比較部２１３、制御部２１４、無線受信部２１５及び変復調部２１６が動作している状態をいう。さらに、ＯＣＶＣＸＯ２１１の出力する第２のクロック２ａ’は、第１のクロック２ａを補正するために用いるクロックであるため、既に制御部２１４による周波数制御処理が完了している必要がある。従って、基地局Ｂの制御部２１４が基地局Ａから周波数比較準備の要求を受信した際に、第２のクロック２ａ’の周波数制御が完了していない状態であった場合には、制御部２１４は、第２のクロック２ａ’の周波数制御を完了した後に、基地局Ａに周波数比較準備が終了したことを連絡する。なお、周波数制御処理については、ステップＳ２３〜Ｓ２４にて説明した通りである。
【０１０４】
上位基地局制御装置２２を経由して周波数比較準備が整った旨の連絡を受けた基地局Ａは、変復調部２０３及び無線通信部２０４を起動させる。変復調部２０３は、第１のクロック２ａを変調した変調クロック信号２ｃを生成する。無線通信部２０４は、その変調クロック信号２ｃを無線クロック信号２ｅに変換して、基地局Ｂの無線受信部２１５に無線送信する。このようにして、基地局Ａは、周波数比較に必要な無線クロック信号２ｅの送信を開始する（ステップＳ２９）。
【０１０５】
また、基地局Ａの制御部２０２は、上位基地局制御装置２２経由で、基地局Ｂの制御部２１４に対して、無線クロック信号２ｅを送信した旨を連絡する。
【０１０６】
制御部２１４は、基地局Ａが無線クロック信号２ｅの送信を開始した旨の連絡を受信する。基地局Ｂは、制御部２１４が連絡を受信したことに応じて、無線クロック信号２ｅを使用して周波数比較を開始する。
【０１０７】
具体的には、基地局Ｂは以下のようにして周波数比較を実行する。無線受信部２１５は、受信した無線クロック信号２ｅを変調クロック信号２ｆに変換し、変復調部２１６に出力する。変復調部２１６は、その変調クロック信号２ｆを復調することにより、再生クロック２ｇを生成する。
【０１０８】
クロック比較部２１３は、第２のクロック２ａ’の周波数と再生クロック２ｇの周波数とを比較する。クロック比較部２１３は、比較処理完了後、その比較結果を周波数比較情報２ｈとして制御部２１４へ出力する。制御部２１４は、上位基地局制御装置２２を経由して、基地局Ａの制御部２０２に周波数比較情報２ｈを転送する（ステップＳ３０）。
【０１０９】
基地局Ａの制御部２０２は、上位基地局制御装置２２経由で転送された周波数比較情報２ｈを受信した場合に、無線通信部２０４からの無線クロック信号２ｅの送信をストップする。そして、制御部２０２は、受信した周波数比較情報２ｈに基づき、ＶＣ電圧２ｂを決定する基準値を補正する（ステップＳ３１）。これにより、ＯＣＶＣＸＯ２０１が生成する第１のクロック２ａの周波数を、第２のクロック２ａ’と同じ周波数になるよう制御する。
【０１１０】
なお、ステップＳ３１における基準値補正の処理後、基地局Ａの無線通信部２０４は、補正後の第１のクロック２ａに基づいた無線クロック信号２ｅを、基地局Ｂの無線受信部２１５に送信してもよい。無線受信部２１５は受信した無線クロック信号２ｅを変調クロック信号２ｆに変換し、変復調部２１６はその変調クロック信号２ｆを復調することにより、再生クロック２ｇを生成する。そしてクロック比較部２１３は、第２のクロック２ａ’の周波数と再生クロック２ｇの周波数とを再度比較し、生成された周波数比較情報２ｈは制御部２０２に再度転送される。制御部２０２は、その周波数比較情報２ｈに基づいて、ＯＣＶＣＸＯ２０１が生成する第１のクロック２ａの周波数を制御する。このように、第１のクロック２ａの周波数が第２のクロック２ａ’の周波数と同じにならなかった場合には、基地局Ａは、ステップＳ２９及びＳ３０の処理をループして実行することにより、第１のクロック２ａの周波数を第２のクロック２ａ’の周波数に収束させる。
【０１１１】
第１のクロック２ａの周波数が第２のクロック２ａ’の周波数と同一になった場合には、基地局Ａは、周波数制御処理を一旦終了する。具体的には、基地局Ａは、変復調部２０３及び無線通信部２０４における第１のクロック２ａの信号変換処理を停止する。また、制御部２０２がＶＣ電圧２ｂを決定するのに用いる基準値は、最後に補正された値のままに保たれる。
【０１１２】
制御部２０２は、周波数制御処理の終了後、所定の期間をおいて（例えば数時間〜数日程度）、ステップＳ３１における基準値の補正を最後に実行したときから１ヶ月が経過したか否かを判定する（ステップＳ３２）。制御部２０２は、例えば基準値の補正を最後に実行したときの基地局の内部時計の時刻と、現在の内部時計の時刻とを比較することにより、ステップＳ３２の判定を実行する。
【０１１３】
ステップＳ３１における基準値の補正を最後に実行したときから１ヶ月が経過していない場合には（ステップＳ３２のＮｏ）、制御部２０２は、所定の期間をおいて再度ステップＳ３２の判定を実行する。
【０１１４】
ステップＳ３１における基準値の補正を最後に実行したときから１ヶ月が経過している場合には（ステップＳ３２のＹｅｓ）、基地局Ａは、ステップＳ２６の処理に戻り、上位基地局制御装置２２に問い合わせを行い、自身の周囲に無線通信可能な基地局Ｂが存在するか否かを確認する（ステップＳ２６）。
【０１１５】
基地局Ｂが存在する場合には（ステップＳ２６のＹｅｓ）、基地局Ａ及び基地局ＢはステップＳ２７〜Ｓ３１のシーケンスを再度ループして実行する。第１のクロック２ａは、上述と同様に補正される。
【０１１６】
以上のようにして、制御部２０２は、ステップＳ３１における基準値の補正を最後に実行したときから１ヶ月が経過した場合に、再度周波数制御処理を実行する。そして、制御部２０２は、第１のクロック２ａの周波数を基準クロック２ｉの周波数と同じにするように制御する。ＯＣＶＣＸＯ２１１と同様、ＯＣＶＣＸＯ２０１は経年劣化する。そのため、最後に周波数制御を実行した後も、第１のクロック２ａの周波数を基準クロック２ｉの周波数と同じに保つため、制御部２０２は、定期的にＶＣ電圧２ｂを決定する基準値の補正をする必要がある。
【０１１７】
基地局Ｂが存在しなくなった場合には（ステップＳ２６のＮｏ）、上位基地局制御装置２２はその旨を、伝送路２ｋ経由で基地局Ａに送信する。この場合、基地局Ａは、自身の第１のクロック２ａの補正をすることができないため、ＶＣ電圧２ｂを決定する制御部２０２の基準値の補正を実行せず、制御部２０２の基準値を初期のまま運用する。そして制御部２０２は、所定の期間（例えば数時間〜数日程度）をおいて再度ステップＳ３２の判定を実行する。この判定方法は上述の通りである。
【０１１８】
基地局Ｂが存在しなくなった場合とは、例えば基地局Ａの運用の途中で、基地局Ａと無線通信可能な基地局Ｂが撤去されたような場合である。このとき、上位基地局制御装置２２は、基地局Ａと基地局Ｂとが無線通信可能でなくなった旨を認識し、その旨を示す情報を内部メモリに格納する。これにより、上位基地局制御装置２２は、ステップＳ２６における基地局Ａからの問い合わせがあった場合に、基地局Ｂが存在しないことを示す情報を基地局Ａに送信することができる。
【０１１９】
基地局Ｂの制御処理の期間と同様、制御部２０２が周波数制御処理を終了してから再度周波数制御処理を開始するまでの期間は、１ヶ月に限られない。同様に、基地局Ａが周波数制御処理を終了してから再度周波数制御処理を開始するまでの期間は、一定期間であってもよいし、使用時間に応じた異なる期間であってもよい。
【０１２０】
最初に基地局Ａから上位基地局制御装置２２へ問い合わせがあったときに、無線通信可能な基地局Ｂが基地局Ａの周囲に存在しない場合も（ステップＳ２６のＮｏ）、上位基地局制御装置２２はその旨を、伝送路２ｋ経由で基地局Ａに送信する。基地局Ａは、制御部２０２の基準値を初期のまま運用する。
【０１２１】
制御部２０２は、基地局Ｂが基地局Ａの周囲に存在しないことを示す情報を上位基地局制御装置２２から受信した後、所定の期間をおいて、上位基地局制御装置２２が最後に問い合わせを実行したときから１ヶ月が経過したか否かを判定する（ステップＳ３２）。
【０１２２】
上位基地局制御装置２２が最後に問い合わせを実行したときから１ヶ月が経過していない場合には（ステップＳ３２のＮｏ）、制御部２０２は、所定の期間をおいて再度ステップＳ３２の判定を実行する。
【０１２３】
上位基地局制御装置２２が最後に問い合わせを実行したときから１ヶ月が経過した場合には（ステップＳ３２のＹｅｓ）、基地局Ａは、ステップＳ２６の処理に戻り、上位基地局制御装置２２に問い合わせを行い、自身の周囲に無線通信可能な基地局Ｂが存在するか否かを確認する（ステップＳ２６）。
【０１２４】
無線通信可能な基地局Ｂが基地局Ａの周囲になおも存在しない場合（ステップＳ２６のＮｏ）、基地局Ａは、ＶＣ電圧２ｂを決定する制御部２０２の基準値の補正を実行せず、制御部２０２の基準値を初期のまま運用する。そして、ステップＳ３２の処理に移行する。
【０１２５】
無線通信可能な基地局Ｂが基地局Ａの周囲に存在する場合（ステップＳ２６のＹｅｓ）、基地局Ａ及び基地局ＢはステップＳ２７〜Ｓ３１のシーケンスを再度ループして実行することにより、制御部２１４は、第１のクロック２ａの補正を行う。これは、基地局Ａの運用の途中で、その周囲に基地局Ａと無線通信可能な基地局Ｂが増設されたような場合である。このとき、上位基地局制御装置２２は、基地局Ａと基地局Ｂとが無線通信可能となった旨を認識し、その旨を示す情報を内部メモリに格納する。これにより、上位基地局制御装置２２は、ステップＳ２６における基地局Ａからの問い合わせがあった場合に、基地局Ｂが存在することを示す情報を基地局Ａに送信することができる。
【０１２６】
以上より、Ｗ−ＣＤＭＡシステム２は、外部からの基準クロックが供給されない無線基地局２０（基地局Ａ）においても、クロック周波数の調整を可能とすることができる。具体的には、外部から基準クロックが供給されない基地局２０の周囲に、外部から基準クロックが供給される基地局２１（基地局Ｂ）がある場合、基地局２０はその基地局２１から、自身のクロックに関する比較結果を受信する。その比較結果に基づいて、基地局２０は内部に有するＯＣＶＣＸＯ回路部の出力周波数を補正する。
【０１２７】
Ｗ−ＣＤＭＡシステムの無線基地局が内部に有するＯＣＶＣＸＯは、経年劣化のために出力周波数の劣化が生じてしまう。そのため、無線基地局が定期的にＶＣ電圧の補正による出力周波数の補正を行わないと、出力周波数が無線基地局の仕様に対して規格外になってしまう。しかしながら、実施の形態２にかかるＷ−ＣＤＭＡシステム２では、基地局２０のＯＣＶＣＸＯの出力周波数が規格外となる事を防ぐことができる。
【０１２８】
また、Ｗ−ＣＤＭＡシステム２において、基地局２１に入力される基準クロックと同程度に高い周波数精度のクロックを必要とする基地局２０を新規に設置する場合でも、実施の形態２に記載した構成を用いることにより、新規に設置する基地局２０には、基準クロックの供給を受けるための設備を実装する必要がなくなる。そのため、安価な基地局装置を構成することができる。
【０１２９】
実施の形態２にかかるＷ−ＣＤＭＡシステム２は、さらに以下の効果を奏する。
【０１３０】
基地局２１において、第２のクロック２ａ’の周波数が基準クロック１ｈの周波数に収束した後に、クロック比較部２１３は、第２のクロック２ａ’の周波数と第１のクロック２ａの周波数との比較処理を開始している。これにより、第２のクロック２ａ’が調整により目標周波数を有するようになった後に、その周波数に追従して第２のクロック２ａが調整されるため、第１のクロック２ａを精度よく調整することができる。
【０１３１】
ＯＣＶＣＸＯ２０１が生成する第１のクロック２ａの周波数と、ＯＣＶＣＸＯ２１１が生成する第２のクロック２ａ’の周波数とは同一である。そして、制御部２０２は、クロック比較部２１３の比較結果において、第１のクロック２ａの周波数と第２のクロック２ａ’の周波数とが同一である場合に、ＯＣＶＣＸＯ２０１が生成する第１のクロック２ａの周波数の制御処理を終了する。この構成では、クロック比較部２１３は、第１のクロック２ａと第２のクロック２ａ’とが同一の周波数を有するか否かを比較すればよいので、その構成を簡単にすることができる。
【０１３２】
Ｗ−ＣＤＭＡシステム２は上位基地局制御装置２２を備え、上位基地局制御装置２２は、基地局２０及び２１が無線通信可能であることを認識している。ここで基地局２０は、上位基地局制御装置２２に対して、基地局２０と無線通信可能な基地局２１が存在するか否かの問い合わせを実行する。上位基地局制御装置２２は、基地局２０からの問い合わせに応じて、基地局２０と基地局２１とが無線通信可能であることを基地局２１に対して通知する。基地局２０の無線通信部２０４は、上位基地局制御装置２２からの通知に応じて、第１のクロック２ａを基地局２１に無線送信する。この構成により、基地局２０は、上位基地局制御装置２２の処理によって、基地局２１に対し、自身の生成する第１のクロック２ａの周波数比較の実行を要求することができる。従って、基地局２０は、確実に第１のクロック２ａを調整することができる。
【０１３３】
さらに基地局２０は、所定の期間毎に、上位基地局制御装置２２に対して、基地局２０と無線通信可能な基地局２１が存在するか否かの問い合わせを実行する。これにより、Ｗ−ＣＤＭＡシステム２の構成が変化して、基地局２０と無線通信可能な基地局２１が存在しない状態から存在する状態に変化したような場合に、基地局２０はその基地局２１に自身の生成する第１のクロック２ａの周波数比較を実行させることができる。そのため、Ｗ−ＣＤＭＡシステム２の構成が時間変化して、外部から基準クロックが入力される基地局２１が基地局２０に無線通信可能となった場合に、基地局２０はその状況に対応して、第１のクロック２ａを調整することができる。
【０１３４】
特許文献１に記載された無線通信システムでは、下位の基地局において上位の基地局からの同期クロックを受信し、その受信した同期クロックに基づいて下位の基地局が同期制御のシーケンスを実行する。この場合、無線通信システムにおいて上位の基地局の構成が変化したような場合（例えば上位の基地局が新たに設けられた場合）には、下位の基地局は、上位の基地局から送信される同期クロックを、そのままでは受信できない。しかしながら、実施の形態２にかかるＷ−ＣＤＭＡシステム２は、上位基地局制御装置２２の処理によって、上位の基地局が新たに設けられた場合でも、基地局２０は、第１のクロック２ａを調整することができる。
【０１３５】
なお、本発明は上記実施の形態に限られたものではなく、趣旨を逸脱しない範囲で適宜変更することが可能である。例えば、実施の形態１において、クロック生成システム１は、複数のクロック生成装置１０を備えていてもよい。この場合、１台のクロック生成装置１１で、複数台のクロック生成装置１０の周波数比較処理を実行することができる。
【０１３６】
具体的には、クロック生成装置１１の無線通信部１１５は、複数台のクロック生成装置１０から無線クロック情報１ｃを受信する。例えば、２台のクロック生成装置１０−１と１０−２からそれぞれ無線クロック情報１ｃ−１と無線クロック情報１ｃ−２を受信した場合には、無線通信部１１５は、無線クロック情報１ｃ−１を再生クロック１ｅ−１に、無線クロック情報１ｃ−２を再生クロック１ｅ−２に変換し、クロック比較部１１３に出力する。クロック比較部１１３は、第２のクロック１ａ’と再生クロック１ｅ−１との周波数を比較して、その比較結果である周波数比較情報１ｆ−１を制御部１１４を介してクロック生成装置１０−１に送信する。また、クロック比較部１１３は、第２のクロック１ａ’と再生クロック１ｅ−２との周波数を比較して、その比較結果である周波数比較情報１ｆ−２を制御部１１４を介してクロック生成装置１０−２に送信する。このとき、制御部１１４と、クロック生成装置１０−１及び１０−２とは、それぞれ伝送路で接続されている。このように、クロック比較部１１３は、それぞれのクロック生成装置の生成するクロックについて、第２のクロック１ａ’と周波数比較処理を実行する。
【０１３７】
クロック比較部１１３は、第２のクロック１ａ’と再生クロック１ｅ−１との周波数の比較処理終了後に、第２のクロック１ａ’と再生クロック１ｅ−１との周波数の比較処理を開始してもよい。あるいは、クロック比較部１１３はこの逆の順番で、周波数の比較処理を実行してもよい。また、クロック比較部１１３がクロック生成装置１１に２つ設けられていてもよい。
【０１３８】
クロック生成装置１０−１及び１０−２は、それぞれ周波数比較情報１ｆ−１及び１ｆ−２に基づいて、実施の形態１と同様に自身のクロックの周波数を補正する。このようにして、クロック生成装置１０−１及び１０−２は、自身のクロックの周波数を補正することができる。
【０１３９】
このとき、クロック生成装置１０−１及び１０−２には、クロック比較部１１３を内部に設ける必要がない。クロック生成装置１１にクロック比較部１１３を１つ設けるだけで、各クロック生成装置における周波数比較処理が実行できるためである。そのため、クロック生成装置１０を複数台設ける場合にも、各クロック生成装置１０の内部構成を単純にすることができ、クロック生成装置１０のコストを削減することができる。ひいては、クロック生成システム１のコストを削減することができる。
【０１４０】
実施の形態２においても、Ｗ−ＣＤＭＡシステム２は、複数の基地局２０（基地局Ａ）を備えていてもよい。この場合、１台の基地局２１（基地局Ｂ）で、複数台の基地局２０の周波数比較処理を実行することができる。この処理の詳細については上述と同様であるため記載を省略する。
【０１４１】
上位の基地局２１の下位に基地局２０を複数設けるような場合に、基地局２０にはクロック比較部２１３を設ける必要がない。そのため、基地局２０の内部構成を単純にすることができ、基地局２０のコストを削減することができる。ひいては、Ｗ−ＣＤＭＡシステム２のコストを削減することができる。
【０１４２】
また、実施の形態１において、クロック生成装置１０は第１のクロック１ａを無線クロック情報１ｃに変換し、クロック生成装置１１側の無線通信部１１５へ送信している。しかしながら、クロック生成装置１０は第１のクロック１ａを無線通信ではなく、クロック生成装置１０及びクロック生成装置１１を管理する管理装置（実施の形態２に記載した上位基地局制御装置２２に対応）を経由して、クロック生成装置１１に送信してもよい。実施の形態２においても同様に、基地局２０は無線通信ではなく、上位基地局制御装置２２を経由して第１のクロック２ａを基地局２１に送信してもよい。
【０１４３】
実施の形態２において、クロック比較部２１２は、制御部２１４による第２のクロック２ａ’の周波数制御が終了した後、期間をおいてから周波数の比較処理を再開している。しかしながら、第２のクロック２ａ’の周波数制御が終了した後も、クロック比較部２１２は、周波数の比較処理を実行していてもよい。つまり、クロック比較部２１２は、周波数比較情報２ｄを制御部２１４に出力し続けていてもよい。比較処理の最中に、第２のクロック２ａ’の周波数が外部からの基準クロック２ｉの周波数と異なるように変化した場合には、制御部２１４はその旨を示す周波数比較情報２ｄに基づいて、ＯＣＶＣＸＯ２１１に対して周波数を変更させる制御をする。これにより、基地局２１は常に自身の生成する第２のクロック２ａ’を正確に保つことができる。
【０１４４】
同様に、第１のクロック２ａの周波数制御が終了した後も、クロック比較部２１３は、周波数の比較処理を実行していてもよい。つまり、クロック比較部２１３は、周波数比較情報２ｈを、制御部２１４を介して制御部２０２に出力し続けていてもよい。比較処理の最中に、第１のクロック２ａの周波数が第２のクロック２ａ’の周波数と異なるように変化した場合には、制御部２０２はその旨を示す周波数比較情報２ｈに基づいて、ＯＣＶＣＸＯ２０１に対して周波数を変更させる制御をする。これにより、基地局２０は常に自身の生成する第２のクロック２ａ’を正確に保つことができる。
【０１４５】
また制御部２１４は、第２のクロック２ａ’の周波数を、基準クロック１ｈと必ずしも完全に一致する周波数にする必要はない。同様に、制御部２０２は、第２のクロック２ａ’の周波数を、第１のクロック２ａと必ずしも完全に一致する周波数にする必要はない。この詳細については実施の形態１と同様であるため説明を省略する。
【０１４６】
実施の形態１において説明したクロック生成システム１の構成は、Ｗ−ＣＤＭＡシステムだけではなく、他の無線通信システムに応用することもできる。さらに、クロック生成システム１の構成は、無線通信システムだけではなく、装置間においてクロックの周波数の調整が必要な複数の装置が接続されている他のシステムにも適用することができる。
【０１４７】
上述した装置の処理は、制御方法の１つとして、コンピュータ（例えばクロック生成装置）に実行させることができる。例えば、実施の形態１に示した処理のフローを、制御プログラムとしてコンピュータに実行させてもよい。その他の処理フローについても同様にしてコンピュータに実行させることができる。
【０１４８】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１４９】
１  クロック生成システム
１０、１１  クロック生成装置
１００、１１０  クロック供給部
１０１  ＶＣＸＯ
１０２  制御部
１０３  無線通信部
１０４  クロック受信部
１１１  ＶＣＸＯ
１１２、１１３  クロック比較部
１１４  制御部
１１５  無線通信部
１１６  クロック受信部
２  Ｗ−ＣＤＭＡシステム
２０、２１  基地局
２０１、２１１  ＯＣＶＣＸＯ
２０２  制御部
２０３  変復調部
２０４  無線通信部
２１２、２１３  クロック比較部
２１４  制御部
２１５  無線受信部
２１６  変復調部
２１７  無線通信部
２２  上位基地局制御装置
【図１】
2015012529.tif 000003
【図２】
2015012529.tif 000004
【図３】
2015012529.tif 000005
【図４Ａ】
2015012529.tif 000006
【図４Ｂ】
2015012529.tif 000007